(57)【要約】【課題】本発明は、充電装置とそれを用いた充電システムに関するもので、使い勝手を良くすることを目的とするものである。【解決手段】充電装置３の制御部１６に個人識別部７と、画像出力部の一例として用いた通信部１７と、画像出力先が登録されるメモリー２３とを接続すると共に、制御部１６は、個人識別部７で識別した識別情報と、メモリー２３の情報から画像出力先を選択し、この画像出力先に、カメラ部１１で撮影した映像を、通信部１７を介して、出力させる構成としたので、使い勝手を良くすることができる。【選択図】図４
2014197918.tif 000002
【特許請求の範囲】
【請求項１】
充電出力部と、
この充電出力部に接続された制御部と、
この制御部に接続されたカメラ部とを備え、
前記制御部に、
個人識別部と、
画像出力部と、
画像出力先が登録されるメモリ部と
を接続すると共に、
前記制御部は、個人識別部で識別した識別情報と、前記メモリ部の情報から画像出力先を選択し、この画像出力先に、
前記カメラ部で撮影した映像を、前記画像出力部を介して、出力させる構成とした充電装置。
【請求項２】
本体ケースの前面側に、カメラ部と、
個人識別部を設けた請求項１記載の充電装置。
【請求項３】
集合住宅の共有駐車場に設置された請求項１または２に記載の充電装置と、
各住宅に設置された表示部とを備え、
前記充電装置の制御部は、個人識別部で識別した識別情報と、前記メモリ部の情報から画像出力先を選択し、この画像出力先の表示部に、
前記カメラ部で撮影した映像を、前記画像出力部を介して、出力させる構成とした充電システム。
【請求項４】
複数の事務所が入居する集合事務所体の共有駐車場に設置された請求項１または２に記載の充電装置と、
各事務所に設置された表示部とを備え、
前記充電装置の制御部は、個人識別部で識別した識別情報と、前記メモリ部の情報から画像出力先を選択し、この画像出力先の表示部に、
前記カメラ部で撮影した映像を、前記画像出力部を介して、出力させる構成とした充電システム。
【発明の詳細な説明】
【技術分野】
【０００１】
本発明は、車両への充電を行う充電装置と、それを用いた充電システムに関するものである。
【背景技術】
【０００２】
従来のこの種充電装置は、充電出力部と、この充電出力部に接続された制御部と、この制御部に接続されたカメラ部とを備え、カメラ部で撮影した映像を例えば、管理人室の表示部に出力させる構成となっていた（これに類似する先行文献としては、例えば、下記特許文献１が存在する）。
【先行技術文献】
【特許文献】
【０００３】
【特許文献１】特開２０１１−２４３３３号公報
【発明の概要】
【発明が解決しようとする課題】
【０００４】
上記従来例においては、カメラ部で充電場所の車両数を確認し、待ち時間を算出するものであるので、待ち時間を事前に理解することができ、その点では、利便性の高いものとなっている。しかしながら、車両への充電は、長い時間がかかるものであって、その車両の所有者は、この充電時には、たびたび車両の充電場所に出向き、何度も確認を行うことになっているので、この点では、使い勝手の悪いものであった。すなわち、表示部は、例えば管理人室に設置されているので、車両の所有者は、その表示部による確認は行うことができず、仕方なく充電場所に何度も出向くことになっていたのである。そこで、本発明は、使い勝手を良くすることを目的とするものである。
【課題を解決するための手段】
【０００５】
本発明の充電装置は、充電出力部と、この充電出力部に接続された制御部と、この制御部に接続されたカメラ部とを備え、前記制御部に個人識別部と、画像出力部と、画像出力先が登録されるメモリ部とを接続すると共に、前記制御部は、個人識別部で識別した識別情報と、前記メモリ部の情報から画像出力先を選択し、この画像出力先に、前記カメラ部で撮影した映像を、前記画像出力部を介して、出力させる構成とする。これにより所期の目的を達成するものである。
【０００６】
また、本発明の充電システムは、集合住宅の共有駐車場に設置された請求項１または２に記載の充電装置と、各住宅に設置された表示部とを備え、前記充電装置の制御部は、個人識別部で識別した識別情報と、前記メモリ部の情報から画像出力先を選択し、この画像出力先の表示部に、前記カメラ部で撮影した映像を、前記画像出力部を介して、出力させる構成とし、これにより所期の目的を達成するものである。
【０００７】
さらに、本発明の他の充電システムは、複数の事務所が入居する集合事務所体の共有駐車場に設置された請求項１または２に記載の充電装置と、各事務所に設置された表示部とを備える。前記充電装置の制御部は、個人識別部で識別した識別情報と、前記メモリ部の情報から画像出力先を選択し、この画像出力先の表示部に、前記カメラ部で撮影した映像を、前記画像出力部を介して、出力させる構成とし、これにより所期の目的を達成するものである。
【発明の効果】
【０００８】
以上のように、本発明の充電装置は、前記制御部に個人識別部と、画像出力部と、画像出力先が登録されるメモリ部とを接続すると共に、前記制御部は、個人識別部で識別した識別情報と、前記メモリ部の情報から画像出力先を選択し、この画像出力先に、前記カメラ部で撮影した映像を、前記画像出力部を介して、出力させる構成としたので、使い勝手を良くすることができる。すなわち、本発明においては、個人識別部で識別行えば、その個人の住宅に設置された表示部にカメラ部からの映像が出力されるので、充電時の確認のために何度も充電場所に出向く必要はなく、きわめて使い勝手の良いものとなるのである。
【０００９】
さらに、本発明の充電システムは、集合住宅における各住宅、または集合事務所体における各事務所に設置された表示部に前記カメラ部で撮影した映像を、前記画像出力部を介して、出力させる構成としたので、使い勝手の良いものとすることができる。
すなわち、本発明においては、個人識別部で識別行えば、その個人の住宅や各事務所に設置された表示部に、カメラ部からの映像が出力されるので、充電時の確認のために何度も充電場所に出向く必要はなく、きわめて使い勝手の良いものとなるのである。
【図面の簡単な説明】
【００１０】
【図１】本発明の一実施形態にかかる、充電装置とそれを用いた充電システムを示す斜視図
【図２】同要部の斜視図
【図３】同要部の斜視図
【図４】同制御ブロック図
【図５】同動作フローチャート
【図６】同動作フローチャート
【図７】同動作フローチャート
【発明を実施するための形態】
【００１１】
（実施の形態１）
図１は、本発明の一実施形態を示し、１は集合住宅を示し、その周囲の駐車場２には、複数の充電装置３が設置されている。すなわち、図２に示すごとく、車両４を駐車場２に停め、その状態で車両４への充電を充電装置３から行うようになっている。
【００１２】
充電装置３は、図３に示すごとく、縦長の箱形状となった本体ケース５と、この本体ケース５の下部に設けた扉６と、この扉６の上部に設けた個人識別部７と、この個人識別部７の上部に設けた表示部８と、この表示部８の上部に設けたスピーカー孔９と、マイクロフォン孔１０と、これらのスピーカー孔９と、マイクロフォン孔１０の上部に設けたカメラ部１１とを備えている。なお、扉６の後方には、図１、図２に示した電源コード１２が収納されており、充電時には、この扉６を開放し、電源コード１２を本体ケース５から引き出し、次に、車両４の充電口（図示せず）に接続し、充電を行うようになっている。また、この充電を実行させるためには、それぞれの車両４の所有者に配布された個人識別用の識別キー１３を個人識別部７に接近させることで個人識別を行わせ、それによって、充電が行われるようになる。なお、この識別キー１３は、本実施形態においては、カード形状をしており、例えば、駅の改札口に設置されたカードリーダーのごとく、近距離通信によって、この識別キー１３の情報は、個人識別部７によって読み取られることになる。また、この読み取られた結果として、表示部８には、充電を開始するための決定キー（図示せず）が表出し、これを押せば、充電が開始される。なお、これらの構成は、従来より知られたものであるので、説明の煩雑化を避けるために、これ以上の説明は、省略する。
【００１３】
本実施形態における特徴は、識別キー１３を個人識別部７に接近させることで、この識別キー１３の情報を個人識別部７に読み取らせると共に、カメラ部１１で撮影した映像が
その識別キー１３を所有する個人の住宅に接地した表示部（図４の１４）に出力されるようにしたことであって、以下この点について、詳細に説明する。
【００１４】
まず、この説明に先立ち、前記識別キー１３は、その所有者の住宅のキーと兼用されたものであって、図１に示した集合住宅１の各戸ごとに異なる情報が保持されたものとなっている。さて、この識別キー１３の情報を読み取る個人識別部７を有する充電装置３は、図４に示すごとく、充電出力部１５と、この充電出力部１５に接続された制御部１６と、この制御部１６に接続されたカメラ部１１、個人識別部７、表示部８、画像出力部の一例として用いた通信部１７、スピーカー１８、マイクロフォン１９を備えている。このうち、充電出力部１５は、電源コード１２に接続されたものであり、この充電出力部１５には、電源入力部２０を介して電源２１が接続されている。
【００１５】
また、スピーカー１８は、図３で示したスピーカー孔９の後方に配置されたものであり、更に、マイクロフォン１９は、図３で示したマイクロフォン孔１０の後方に配置したものである。
【００１６】
また、制御部１６には、動作プログラムを格納したメモリー２２と、個人識別情報に対応する情報を格納したメモリー２３が接続されている。つまり、メモリー２３には、識別キー１３を個人識別部７に接近させることで、この識別キー１３の情報を個人識別部７に読み取らせると共に、カメラ部１１で撮影した映像がその識別キー１３を所有する個人の住宅に接地した表示部（図４の１４）に出力されるように、個人が所有する識別キー１３の情報に関連する情報が格納されているのである。
【００１７】
そして、個人が所有する住宅に設置された表示部１４に映像を出力させるために、通信部１７が設けられているのである。この通信部１７は、管理人室に設置された管理装置２４の通信部２５を介して制御部２６に接続されている。また、制御部２６には、表示部２７や通信部２８と、動作プログラムを格納したメモリー２９と、個人識別情報に対応する情報を格納したメモリー３０と、入力部３１と、スピーカー３１ａと、マイクロフォン３１ｂが接続されている。このうち、表示部２７は、カメラ部１１からの映像が出力されるものであって、本実施形態では、図１に示すごとく、駐車場２に複数の充電装置３が設置されているので、この管理人室における表示部２７には、例えば、ショッピングセンターの複数のカメラからの映像が管理センターのモニターに順番に切り替えられながら表示されたり、複数に分割された状態で表示されたりするようになっている。
【００１８】
それよりも、この管理装置２４の入力部３１は、個人識別情報に対応させる情報を入力するために必要なものである。
【００１９】
次に、管理装置２４の通信部２８には、各住宅に設置された確認装置３２の通信回路３３を介して、制御部３４が接続されている。制御部３４には、動作プログラムを格納したメモリー３５と、表示部１４と、スピーカー３６と、マイクロフォン３７と、入力部３８が接続されている。本実施形態においては、この確認装置３２は、いわゆるインターホンのような役割も果たすので、これらの部分には、特徴はない。
【００２０】
特徴的なのは、上述のごとく、充電装置３のカメラ部１１で撮影した映像が表示部１４に出力され、各人は自分の車両４の充電環境（例えば、電源コード１２が車両４の充電口に正しく繋がっているか、電源コード１２に対する悪戯がなされていないか、車両４への悪戯がなされていないか等）を自宅にいながら表示部１４で確認することができるので、きわめて使い勝手が良いということである。
【００２１】
すなわち、各人が自分の車両４への充電を行うときには、図１、図２に示すごとく、駐
車場２の充電装置３の近傍に車両４を停め、次に、図３の扉６を開放して、電源コード１２を引き出し、それを充電口に接続する。図示していないが、扉６を開放したり、あるいは、電源コード１２を引き出すと、それを検知するスイッチが設けられており、これによって、充電装置３は起動を始める（図５のＳ１）。すると、制御部１６は、カメラ部１１、スピーカー１８、マイクロフォン１９、個人識別部７、表示部８などをすべて起動させる（図５のＳ２）。すると、制御部１６は、例えば、カメラ部１１に人が映ったことで、人検知を行い（図５のＳ３）、その結果として、通信部１７を介して管理人室の管理装置２４に充電装置３の起動及び人の検知を通知し（図５のＳ４）、引き続き充電装置３のカメラ部１１で撮影した映像とマイクロフォン１９で集めた音声を管理装置２４へと送信する（図５のＳ５）。つまり、管理装置２４の表示部２７には、充電装置３のカメラ部１１で捉えた映像が映し出され、また、音声は、スピーカー３１ａから出力されるようになる。
【００２２】
更に、充電を行おうとする運転者が自らが保持する識別キー１３を図３のごとく個人識別部７に近づけて、近距離通信により読み取らせると（図５のＳ６）、制御部１６は、メモリー２３に格納された情報と比較し、合致する個別の住宅の表示部１４にカメラ部１１で撮影した映像を送るように動作が行われる。つまり、管理装置２４の通信部２８を介して、個人の住宅に設置された確認装置３２の制御部３４に識別キー１３による識別があったことを通知し（図５のＳ７）、その後、この確認装置３２の表示部１４に充電装置３のカメラ部１１で撮影した映像を出力させることになるのである（図５のＳ８）。
【００２３】
なお、管理装置２４は、常時起動されており、常に各部の動作は継続された状態となっている（図６のＳ１，Ｓ２）。その状態において、上述のごとく、充電装置３の通信部１７を介して識別キー１３による個人識別情報が送信されると（図６のＳ３、Ｓ４）、次に制御部２６は、カメラ部１１からの映像が送信されているか否かを確認し（図６のＳ５）、それを自らの表示部２７と、確認装置３２の表示部１４へと出力させる（図６のＳ６）。
【００２４】
また、個人の住宅に設置された確認装置３２も常時起動されており、常に各部の動作は継続された状態となっている（図７のＳ１，Ｓ２）。その状態において、上述のごとく、充電装置３の通信部１７を介して識別キー１３による個人識別情報が管理装置２４に送信され、管理装置２４から確認装置３２に送信されると（図７のＳ３、Ｓ４）、制御部３４は、カメラ部１１からの映像が送信されているか否かを確認し（図７のＳ５）、それを自らの表示部１４へと出力させる（図７のＳ６）。
【００２５】
以上のように、本実施形態においては、充電装置３の制御部１６に個人識別部７と、画像出力部の一例として用いた通信部１７と、画像出力先が登録されるメモリー２３とを接続すると共に、制御部１６は、個人識別部７で識別した識別情報と、メモリー２３の情報から画像出力先を選択し、この画像出力先に、カメラ部１１で撮影した映像を、通信部１７を介して、出力させる構成としたので、使い勝手を良くすることができる。すなわち、個人識別部７で識別を行えば、その個人の住宅に設置された表示部１４にカメラ部１１からの映像が出力されるので、充電時の確認のために何度も充電場所に出向く必要はなく、きわめて使い勝手の良いものとなるのである。
【００２６】
なお、本実施形態においては、図３に示すごとく、カメラ部１１は、縦方向に細長い本体ケース５の上部に設置されているので、車両４全体を撮影することができ、それにより、この車両４だけでなく、電源コード１２の状態も容易に撮影することができるのである。
【００２７】
また、本実施形態においては図１において、集合住宅１を用いて説明したが、この集合
住宅１に代え、複数の事務所が入居する集合事務所体に図１と同じようにして用いても同様の効果が得られる。
【産業上の利用可能性】
【００２８】
以上のように、本発明においては、個人識別部で識別行えば、その個人の住宅に設置された表示部にカメラ部からの映像が出力されるので、充電時の確認のために何度も充電場所に出向く必要はなく、きわめて使い勝手の良いものとなるのである。
【００２９】
さらに、本発明の充電システムは、集合住宅における各住宅、または集合事務所体における各事務所に設置された表示部に前記カメラ部で撮影した映像を、前記画像出力部を介して、出力させる構成としたので、使い勝手の良いものとすることができる。
【００３０】
したがって、集合住宅や集合事務所体に用いられる充電装置としての適用が期待されるものである。
【符号の説明】
【００３１】
１  集合住宅
２  駐車場
３  充電装置
４  車両
５  本体ケース
６  扉
７  個人識別部
８  表示部
９  スピーカー孔
１０  マイクロフォン孔
１１  カメラ部
１２  電源コード
１３  識別キー
１４  表示部
１５  充電出力部
１６  制御部
１７  通信部
１８  スピーカー
１９  マイクロフォン
２０  電源入力部
２１  電源
２２  メモリー
２３  メモリー
２４  管理装置
２５  通信部
２６  制御部
２７  表示部
２８  通信部
２９  メモリー
３０  メモリー
３１  入力部
３１ａ  スピーカー
３１ｂ  マイクロフォン
３２  確認装置
３３  通信回路
３４  制御部
３５  メモリー
３６  スピーカー
３７  マイクロフォン
３８  入力部
【図１】
2014197918.tif 000003
【図２】
2014197918.tif 000004
【図３】
2014197918.tif 000005
【図４】
2014197918.tif 000006
【図５】
2014197918.tif 000007
【図６】
2014197918.tif 000008
【図７】
2014197918.tif 000009